(57)【要約】【課題】簡易なビットレートの制御方法を用いながら、録画したいコンテンツを１枚のディスクに漏れなく収めつつ、録画時の画質を高めるディスク記録装置を提供する。【解決手段】ＤＶＤレコーダ１は、符号化部３、制御部９の他、アナログ形式の映像信号をエンコードしてＤＶＤ１０に記録する構成を備える。また、制御部９は、符号化部３の符号化の際のビットレートを、ビットレートが異なる複数の録画モードのうちのいずれかで制御するビットレート制御部９１と、この録画モードを選択し、切り替えるタイミングを制御するビットレート切替制御部９２と、録画モードの制御データを記録するデータテーブル９３を備える。ビットレート切替制御部９２は、前記映像信号の録画予定時間および前記ディスクに記録可能な容量の入力を受けて、録画モードを切り替えるタイミングを計算する。【選択図】図１
2007310976.tif 000002
【特許請求の範囲】
【請求項１】
アナログ形式の映像信号をディジタル形式に符号化する符号化手段と、
前記符号化したデータを、本体にマウントしたディスクに記録する記録手段と、を備えたディスク記録装置において、
前記符号化手段が符号化する際のビットレートを予め定めた複数の基準値のいずれかに制御するビットレート制御手段と、
前記ディスクに記録可能な容量を前記映像信号の録画予定時間で除算した均等ビットレートを算出し、前記ビットレートの基準値のうち、前記均等ビットレートを超えていて前記均等ビットレートに最も近い基準値、および前記均等ビットレート以下で前記均等ビットレートに最も近い基準値を時間軸上で組み合わせて、前記記録可能な容量に収まるように前記基準値の切替タイミングを計算して、前記ビットレート制御手段に指示するビットレート切替制御手段と、を備えたディスク記録装置。
【請求項２】
アナログ形式の映像信号をディジタル形式に符号化する符号化手段と、
前記符号化したデータを、本体にマウントしたディスクに記録する記録手段と、を備えたディスク記録装置において、
前記符号化手段が符号化する際のビットレートを予め定めた複数の基準値のいずれかに制御するビットレート制御手段と、
前記ディスクに記録可能な容量を前記映像信号の録画予定時間で除算した均等ビットレートを算出し、前記基準値のうち均等ビットレートを超える基準値および前記均等ビットレート以下の基準値を時間軸上で組み合わせて、前記記録可能な容量に収まるように前記基準値の切替タイミングを計算して、前記ビットレート制御手段に指示するビットレート切替制御手段と、を備えたディスク記録装置。
【請求項３】
前記ビットレート切替制御手段は、前記組み合わせる基準値として、前記均等ビットレートに最も近いビットレートの基準値を組み合わせる請求項２に記載のディスク記録装置。
【請求項４】
アナログ形式の映像信号をディジタル形式に符号化する符号化手段と、
前記符号化したデータを、本体にマウントしたディスクに記録する記録手段と、を備えたディスク記録装置において、
前記符号化手段が符号化する際のビットレートを予め定めた複数の基準値のいずれかに制御するビットレート制御手段と、
前記ビットレートの基準値をＮｉ（ｉ＝１〜Ｎ）、前記基準値Ｎｉのビットレートで前記記録可能な容量に記録できる時間の長さをＴｎｉ（ｉ＝１〜Ｎ）、ｋ、ｍをそれぞれｉ＝１〜Ｎのいずれかの値として、
前記録画予定時間以上で前記録画予定時間に最も近いＴｎｋに対応する基準値Ｎｋ、および前記録画予定時間未満で前記録画予定時間に最も近いＴｎｍに対応する基準値Ｎｍを選択して、これらを時間軸上で組み合わせて、前記基準値の切替タイミングを計算して、前記ビットレート制御手段に指示するビットレート切替制御手段と、を備えたディスク記録装置。
【発明の詳細な説明】
【技術分野】
【０００１】
本発明は、アナログ形式の映像信号を符号化して、ディスクに記録する装置に関する。
【背景技術】
【０００２】
従来、アナログ形式のテレビ放送やＶＨＳテープに記録されたアナログ形式の映像信号をディジタル形式に符号化して、ディスクに記録するディスク記録装置が実用化されている。このようなディスク記録装置のユーザの要請として、録画（＝映像信号を記録すること）したいコンテンツを１枚のディスクに漏れなく収めることを前提に、なるべく高画質で録画したいという要請がある。この要請に応えるため、映像信号をディスクへ記録するときの符号化のビットレートを、画質や録画時間に応じて、それぞれビットレートを設定して記録するディスク記録装置が開示されている（特許文献１、２参照）。また、特許文献１の「従来の技術」の欄には、ＶＴＲの記録時に、標準モードと、これより画質の落ちる長時間録画モードとを時分割で切り替えて録画することが実用化されている旨の記載がある。
【特許文献１】特開平９−２８４７１５号公報
【特許文献２】特開平１０−９２１０６号公報
【発明の開示】
【発明が解決しようとする課題】
【０００３】
しかしながら、特許文献１、２のように、ビットレートを画質や録画時間に応じて個別にビットレートを設定するのは容易でなく、この設定を行うプログラムが複雑になる問題があった。これを回避するために、複数のビットレートの段階を設けて、そのいずれかの録画モードで記録する従来の装置では、ディスクの空き容量が大きく残るにも関わらず、１段階下げたビットレートで（即ち画質を落として）、記録する場合があった。
【０００４】
このような問題に鑑み、本発明は、簡易なビットレートの制御方法を用いながら、録画したいコンテンツを１枚のディスクに漏れなく収めつつ、録画時の画質を高めるディスク記録装置を提供することを目的とする。
【課題を解決するための手段】
【０００５】
本発明は、上述の課題を解決するための手段を以下のように構成している。
【０００６】
（１）本発明は、
アナログ形式の映像信号をディジタル形式に符号化する符号化手段と、
前記符号化したデータを、本体にマウントしたディスクに記録する記録手段と、を備えたディスク記録装置において、
前記符号化手段が符号化する際のビットレートを予め定めた複数の基準値のいずれかに制御するビットレート制御手段と、
前記ディスクに記録可能な容量を前記映像信号の録画予定時間で除算した均等ビットレートを算出し、前記基準値のうち均等ビットレートを超える基準値および前記均等ビットレート以下の基準値を時間軸上で組み合わせて、前記記録可能な容量に収まるように前記基準値の切替タイミングを計算して、前記ビットレート制御手段に指示するビットレート切替制御手段と、を備えた。
【０００７】
この構成では、ビットレート制御手段が、前記符号化手段が符号化する際のビットレートを、（無段階でなく、）予め定めた複数の基準値のいずれかに制御しているので、ビットレート制御手段の制御が簡易になる。ビットレート切替制御手段が、前記均等ビットレートを超える基準値、および前記均等ビットレート以上の基準値を時間軸上で組み合わせているので、前記均等ビットレート未満の基準値のみを組み合わせるディスク記録装置に比べて、高画質で記録する時間が増える。また、前記記録可能な容量に収まるように前記基準値の切替タイミングを計算してこの基準値を切り替えるので、前記映像信号を前記容量に収めつつ、高いビットレートの基準値で記録する時間の割合を多くすることができる。即ち、高画質で記録する時間の割合を多くすることができる。以上より、簡易なビットレートの制御方法を用いながら、録画したいコンテンツを１枚のディスクに漏れなく収めつつ、録画時の画質を高めることができる。
【０００８】
なお、この切り替えるタイミングの計算は、例えば、ビットレート制御手段が制御するビットレートの基準値をＮ１、Ｎ２［ｂｐｓ］の２つとして、録画予定時間をＴ、ディスクの残り容量をＲ［ｂｙｔｅ］として、基準値Ｎ１、Ｎ２で記録する時間Ｔ１、Ｔ２は、
Ｎ１×Ｔ１＋Ｎ２×Ｔ２＝Ｒ×８［ｂｉｔ／ｂｙｔｅ］
Ｔ１＋Ｔ２＝Ｔ
の連立方程式を解くことにより計算できる。ただし、この構成でビットレート制御手段が選択するビットレートの基準値は、２つに限らず３つ以上選択しても良い。この計算は以下の（２）、（３）の構成も同様である。
またビットレート制御手段が制御するビットレートは、画像の動きの速さに応じて可変でもよく、この場合の基準値は、ビットレートの時間平均値とする。
さらに、「ディスクに記録可能な容量」の用語には、ディスクに記録可能な容量のみならず、前記映像信号を「ディスクに記録可能な容量」に確実に入れるためのマージンを差し引いた容量も含むものとする。以下の構成も同様である。
【０００９】
（２）本発明は、
前記ビットレート切替制御手段は、前記組み合わせる基準値として、前記均等ビットレートに最も近いビットレートの基準値を組み合わせることを特徴とする。
【００１０】
この構成では、前記組み合わせる基準値として、前記均等ビットレートに最も近いビットレートの基準値を組み合わせているので、ビットレート切替の際の画質の変化を小さくすることができると共に、録画時間全体の画質のバランスを高めることができる。仮に前記均等ビットレートから離れた、画質が高いビットレートの基準値を選択すると、この高画質の録画時間が短くなる一方、前記均等ビットレートが大きく下回るビットレートの基準値を選択することになり、ビットレート切替の際の画質の変化が大きく録画時間全体の画質のバランスが悪くなることがあるが、この構成ではこのような不具合を解消でき、画質のバランスを高めることができる。以上より、簡易なビットレートの制御方法を用いながら、録画したいコンテンツを１枚のディスクに漏れなく収めつつ、より一層、録画時の画質を高めることができる。
【００１１】
なお、ビットレート切替制御手段が前記録画予定時間を振り分ける際には、前記複数の基準値のビットレートで記録できる時間の長さを基準にしていればよく、録画時間に確実に収めることができるよう、マージンとなる定数、割合を定めても良い。
【００１２】
（３）本発明は、
アナログ形式の映像信号をディジタル形式に符号化する符号化手段と、
前記符号化したデータを、本体にマウントしたディスクに記録する記録手段と、を備えたディスク記録装置において、
前記符号化手段が符号化する際のビットレートを予め定めた複数の基準値のいずれかに制御するビットレート制御手段と、
前記ビットレートの基準値をＮｉ（ｉ＝１〜Ｎ）、前記基準値Ｎｉのビットレートで前記記録可能な容量に記録できる時間の長さをＴｎｉ（ｉ＝１〜Ｎ）、ｋ、ｍをそれぞれｉ＝１〜Ｎのいずれかの値として、
前記録画予定時間以上で前記録画予定時間に最も近いＴｎｋに対応する基準値Ｎｋ、および前記録画予定時間未満で前記録画予定時間に最も近いＴｎｍに対応する基準値Ｎｍを選択して、これらを時間軸上で組み合わせて、前記基準値の切替タイミングを計算して、前記ビットレート制御手段に指示するビットレート切替制御手段と、を備えた。
【００１３】
この構成では、ビットレート制御手段が、前記符号化手段が符号化する際のビットレートを、（無段階でなく、）予め定めた複数の基準値のいずれかに制御しているので、ビットレート制御手段の制御が簡易になる。
また、この構成では、ビットレート切替制御手段が、前記録画予定時間を越えているＴｎｋに対応する基準値Ｎｋ、および前記録画予定時間以下のＴｎｍに対応する基準値Ｎｍを選択している。これにより、録画時間が余るようなビットレートの基準値のみを選択して組み合わせるのに比べて、高画質で記録する時間が増える。また、前記記録可能な容量に収まるように前記基準値の切替タイミングを計算して前記基準値を切り替えるので、前記映像信号を前記容量に収めつつ、高いビットレートの基準値で記録する時間の割合を多くすることができる。即ち、高画質で記録する時間の割合を多くすることができる。以上より、簡易なビットレートの制御方法を用いながら、録画したいコンテンツを１枚のディスクに漏れなく収めつつ、録画時の画質を高めることができる。
【００１４】
また、前記組み合わせる２つの基準値として、前記録画予定時間以下で前記録画予定時間に最も近いＴｎｋ、Ｔｎｍに対応する基準値を選択しているので、ビットレート切替の際の画質の変化を小さくすることができると共に、録画時間全体の画質のバランスを高めることができる。仮に前記均等ビットレートから離れた、画質が高いビットレートの基準値を選択すると、この高画質の録画時間が短くなる一方、前記均等ビットレートが大きく下回るビットレートの基準値を選択することになり、ビットレート切替の際の画質の変化が大きく録画時間全体の画質のバランスが悪くなることがあるが、この構成では、録画時間全体の画質のバランスを高めることができる。以上より、簡易なビットレートの制御方法を用いながら、録画したいコンテンツを１枚のディスクに漏れなく収めつつ、より一層、録画時の画質を高めることができる。
【発明の効果】
【００１５】
本発明によれば、簡易なビットレートの制御方法を用いながら、録画したいコンテンツを１枚のディスクに漏れなく収めつつ、録画時の画質を高めることができる。
【発明を実施するための最良の形態】
【００１６】
図１は、この発明の実施形態であるＤＶＤレコーダ（１で図示。）の主要部の構成を示すブロック図である。この実施形態のＤＶＤレコーダ１は、ＤＶＤに対するタイトルの記録（録画）、およびＤＶＤに記録されているタイトルの再生を行う。
【００１７】
この実施形態のＤＶＤレコーダ１にマウント可能なＤＶＤ１０は、書き換え可能なＤＶＤ−ＲＷなどや、追記可能な光ディスクＤＶＤ−Ｒなどであるが、本実施形態のＤＶＤに限らず、他の光ディスクに対して記録する場合でも、本装置を応用できる。
【００１８】
入力部２には、アナログ形式の音声情報が入力される。アンテナ（不図示）で受信されたアナログ形式のテレビ放送信号や、ＶＨＳテープのドライブから入力されたアナログ形式の映像信号、音声信号を入力する。
符号化部３は、ビットレート制御部９１のビットレートの制御の下、入力部２で入力したアナログ形式の映像信号および音声信号をディジタル信号に変換して、これらをエンコードする。符号化部３は、このエンコードしたデータを記録／読取部４に出力する。
【００１９】
記録／読取部４は、符号化部３が生成したデータをＤＶＤ１０に記録する処理や、ＤＶＤ１０に記録されているタイトルの記録データを読み取る処理を行う。記録／読取部４は、ＤＶＤ１０にレーザ光を照射し、その反射光を検出するピックアップヘッド（不図示）や、ＤＶＤ１０に照射しているレーザ光の照射位置を制御するフォーカスサーボ制御やトラッキングサーボ制御等を行うサーボ制御部（不図示）等を有している。データの記録時には、記録／読取部４は、ＤＶＤ１０に照射するレーザ光を、ＤＶＤ１０に記録する記録データに基づいて変調する記録制御を行う。また、読取時には、記録／読取部４は、ＤＶＤ１０に記録されているデータを読み取ったＲＦ信号を読取信号処理部５に入力する。
【００２０】
読取信号処理部５は、記録／読取部４が読み取ったＲＦ信号から、映像データ、および音声データを抽出した後、これらをデコードし、デコードした映像データ、および音声データをＤ／Ａ変換して、出力部６に入力する。
【００２１】
出力部６は、読取信号処理部５で処理された記録データに基づいて再生信号を出力する。出力部６には、映像を表示する表示装置１１や、音声を放出するスピーカ１２が接続されている。出力部６は、読取信号処理部５から入力された映像データに基づく再生映像信号と、音声データに基づく再生音声信号と、を同期させて出力する。
【００２２】
記録部７は、記録媒体であるハードディスク７ａ（ＨＤ７ａと略す）、これを読み書きするハードディスクドライブ７ｂ（ＨＤＤ７ｂと略す）を備え、ＨＤＤ７ｂは、符号化部３でエンコードされたデータをＨＤ７ａに記録する。
【００２３】
操作部８は、装置本体に対する入力操作を受け付ける。操作部８は、複数の操作キーや、図示していないリモコン装置から送信されてきた装置本体に対する制御コードを受信するリモコン受信部を有している。操作部８は、ユーザにより操作された操作キーに応じた入力を受け付け、これらに対応したコードや、リモコン受信部で受信した制御コードを制御部９に伝達する。例えば操作部８は、録画（即ち、映像信号のＤＶＤ１０への記録）の指示や、録画の予約の指示入力を受け付ける。
制御部９は、ＣＰＵ、制御データ格納用のＲＯＭ、ＲＡＭを備え、操作部８で受け付けた入力に基づいて、以上で示した装置のうち３〜９の各部の動作を制御する。また、制御部９は録画予約モードの設定を行なうＯＳＤプログラムを備え、このＯＳＤプログラムの動作に従い、ユーザから録画予定時間Ｔ［Ｈ］、録画予定時刻、録画するテレビのチャンネル番号を受け付けて、録画の予約をする。また、制御部９は、ビットレート制御部９１と、ビットレート切替制御部９２、データテーブル９３を備えている。
【００２４】
ビットレート制御部９１は、ＲＯＭ内に記録された動作プログラムで構成され、符号化部３が符号化する際のビットレートを制御して、平均ビットレートを一定に保つ。ビットレート制御部９１は、この制御方法として多段階の録画モードを備えており、この平均ビットレートを選択し、切り替える。
【００２５】
ビットレート切替制御部９２は、ＲＯＭ内に記録された動作プログラムで構成され、記録／読取部４に指示してＤＶＤ１０の残り容量を取得すると共に、録画予約のモード時に受けた録画時間を入力として受けて、これらのデータから録画モードを選択し、切り替える。
【００２６】
データテーブル９３は、ＲＯＭ内に制御データとして記憶されており、表示装置１１に表示する録画モードの名称と、記録時間、ビットレート切替制御部９２が制御するビットレートの平均値をテーブル形式で、ビットレート制御部９１、ビットレート切替制御部９２により参照される。
【００２７】
ＤＶＤレコーダ１の外には、表示装置１１とスピーカ１２を備える。表示装置１１は、出力部６から入力された再生映像信号に基づく映像を表示する。スピーカ１２は、出力部６から入力された再生音声信号に基づく音声を放出する。
【００２８】
次に、図２のデータテーブルの例を用いて、ビットレート切替制御部９２が参照するデータテーブル９３の構成例について説明する。データテーブル９３は、録画モード９３１、記録時間９３２、平均ビットレート９３３、最大ビットレート９３４等が関連付けられて、記憶されている。例えば、録画モード９３１がＸＰであれば、記録時間は１［Ｈ］、平均ビットレートは、９５４２［ｂｐｓ］（bit per second）となる。
【００２９】
録画モード９３１は、ＸＰ、ＳＰ、ＬＰ、ＥＰの各モードがある。記録時間９３２は、ＤＶＤ１０がブランクディスクの場合に、ＤＶＤ１０に記録することができる時間である。平均ビットレート９３３は、ビットレート制御部９１が制御目標とするビットレートの平均値である。
【００３０】
最大ビットレート９３４は、ビットレートの最大値を示したものである。入力部２に入力された画像の変動が大きい場合、画質の粗さが目立たないよう、ビットレート制御部９１は、画像の変動に応じて最大ビットレート９３４の範囲までビットレートを上げる。また、ビットレート制御部９１は、最大ビットレート９３４の範囲内で、平均ビットレート９３３の値になるようビットレートの値を制御する。
【００３１】
図２に示すように、録画モード９３１の図２の欄の上に行くほど、記録時間９３２が少なく、平均ビットレート９３３が多くなって画質が滑らかになり、録画時間が短くなる。下の欄に行くほど、平均ビットレート９３３が少なくなって画質が粗くなり、記録時間９３２が多くなる。
【００３２】
図３のフロー図を用いて、録画予約指示（または直ちに録画を開始する録画指示）を受けた場合にビットレート切替制御部９２が行う処理フローについて説明する。
＜ＳＴ１＞制御部９の図示しない録画予約のＯＳＤプログラムに沿って、ビットレート切替制御部９２のプログラムに録画予定時間Ｔ［Ｈ］の入力を操作部８から受ける。
＜ＳＴ２＞記録／読取部４に指示して、ＤＶＤ１０に記録可能な残り容量を取得する。
【００３３】
＜ＳＴ３＞右のサブフローに従い、録画モードを複数選択する（ただし、ＳＴ３２では１つの録画モードのみを選択する。）。ＤＶＤレコーダ１のユーザの要請として、録画したいコンテンツを１枚のＤＶＤ１０に漏れなく納めることを前提に、なるべく高画質で録画したいという要請がある。そのため、このサブフローで、ビットレート切替制御部９２がＤＶＤ１０の残りの容量、録画時間から最適な録画モードの組み合わせを選択する。
【００３４】
なお、このＳＴ３では、ディスク１０がブランクディスクの場合を示している。また、以下のＳＴ３２、ＳＴ３４、ＳＴ３６、ＳＴ３８で選択する録画モードは、図２で示した録画モード９３１のＸＰ、ＳＰ、ＬＰ、ＥＰに対応している。また、ＳＴ３１、ＳＴ３３、ＳＴ３５、ＳＴ３７の録画予定時間Ｔの判断基準は、このＸＰ、ＳＰ、ＬＰ、ＥＰに対応する記録時間９３２の１、２、４、６［Ｈ］に対応している。
【００３５】
＜ＳＴ３１、ＳＴ３２＞ＳＴ３１で、ＳＴ１で入力を受けた録画予定時間Ｔが１時間以下か判断し、１時間以下なら、ＳＴ３２で録画モードとしてＸＰを選択し、サブフローが終了する。ＳＴ３１で録画予定時間Ｔが１時間を超える場合には、ＳＴ３３に移動する。
＜ＳＴ３３、ＳＴ３４＞ＳＴ３３で、ＳＴ１で入力を受けた録画予定時間Ｔが２時間未満か判断し、２時間未満なら、ＳＴ３４で録画モードとしてＸＰとＳＰを選択し、サブフローが終了する。ＳＴ３３で録画予定時間Ｔが２時間以上の場合には、ＳＴ３５に移動する。
＜ＳＴ３５、ＳＴ３６＞録画予定時間Ｔが４時間未満か判断し、４時間未満なら、ＳＴ３６で録画モードとしてＳＰとＬＰを選択し、サブフローが終了する。ＳＴ３５で録画予定時間Ｔが４時間以上の場合には、ＳＴ３７に移動する。
＜ＳＴ３７、ＳＴ３８＞録画予定時間Ｔが６時間未満か判断し、６時間未満なら、ＳＴ３８で録画モードとしてＬＰとＥＰを選択し、サブフローが終了する。ＳＴ３７で録画予定時間Ｔが６時間以上の場合には、図示しないフローにより録画できない旨の映像信号を表示装置１１に出力しても良いし、他の方法として、更にビットレートが低い録画モードを設定して、この録画モードとＥＰを組み合わせても良い。
【００３６】
以上ＳＴ３のサブフローでは、録画予定時間Ｔがこの判断基準より少ない場合には、この判断基準の記録時間に対応する録画モードよりビットレートの高い、高画質の録画モードを組み合わせることができる。
【００３７】
＜ＳＴ４＞ＳＴ３４、ＳＴ３６、ＳＴ３８のように複数の録画モードを選択した場合には、録画モードを切り替える時刻を計算する。録画を開始したときには、ビットレートが高い方の録画モードで記録を開始し、ビットレート切替制御部９２が、途中で録画モードを低い側に切り替える。例えば、録画予定時間Ｔ＝１．５［Ｈ］とすると、ＳＴ３４に分岐して、ＸＰ、ＳＰの録画モードを選択する。ディスクの残り容量をＲ［ｂｙｔｅ］として、ＸＰモードで記録する時間をＴ１［Ｈ］、ＳＰモードで記録する時間をＴ２［Ｈ］とすると、図２の平均ビットレート９３３で、ＸＰが９５４２［ｂｐｓ］、ＳＰが４７７１［ｂｐｓ］であるから、
９５４２×６０×６０×Ｔ１＋４７７１×６０×６０×Ｔ２
＝Ｒ×８［ｂｉｔ／ｂｙｔｅ］
Ｔ＝Ｔ１＋Ｔ２
の式を解いて、時間Ｔ１、Ｔ２を求めることができる。
【００３８】
以下、本実施形態のＤＶＤレコーダの補足説明を行う。
ＳＴ３のＳＴ３２、ＳＴ３４、ＳＴ３６、ＳＴ３８では、録画モードとして１つまたは２つを選択したが、３つ以上選択しても良い。例えば、録画時間が４時間未満（ＳＴ３５のＹ）のとき、ＳＴ３５の代わりに、４時間録画できるＬＰモードの他に、よりビットレートが高いＸＰ、ＳＰを組み合わせて選択することができる。
また、ＳＴ３で、録画予定時間Ｔに確実に収まるよう、所定のマージンαを設定して、このＴをＴ−αに置き換えて、録画モードの選択を適用しても良い。
【００３９】
また、ＳＴ４で、録画予定時間Ｔに確実に収まるよう、この計算を録画中の所定時間毎に行なって、ビットレート切替制御部９２が、ビットレートを切り替える時刻をより正確にするよう監視しても良い。また、このＳＴ４で所定のマージンβを設定して、このＴをＴ−βに置き換えて、録画モードを切り替える時刻を計算しても良い。
【００４０】
また、ＳＴ３のサブフローのＳＴ３５で２時間ぴったりの場合には、ＳＴ３６でＳＰとＬＰを選択したが、この場合にＳＴ４で示した連立方程式を解くとＬＰで再生する時間は０になり、すべてＳＰで再生することになる。また、ＳＴ３７で４時間ぴったりの場合には、ＳＴ３８でＬＰとＥＰを選択したが、ＳＴ４で示した連立方程式を解くとＥＰで再生する時間は０になり、すべてＬＰで再生することになる。
【００４１】
ＳＴ４では、録画モードを、ビットレートが高い方から低い側に切り替える時刻を決定したが、録画モードをビットレートが低い方から高い方に録画モードを切り替えてもよい。この場合には、クライマックスとなるラストシーンを高画質で録画することができる。この場合には、途中でビットレートが高いモードに切り替えるから、録画予定時間Ｔに確実に収まるようマージンα、またはβを大きく取るのが望ましい。
【００４２】
また、図４で図示した記録モードの選択は、前述したようにＤＶＤ１０がブランクの場合である。ＤＶＤ１０がブランクでないか、残り容量が制限される場合には、ＳＴ３１、ＳＴ３３、ＳＴ３５、ＳＴ３７の判断基準に対応する時間の値を比例計算で縮める必要がある。
【００４３】
ＳＴ３１、ＳＴ３３、ＳＴ３５、ＳＴ３７のフローで選択する記録モードの選択は、各記録モードについて、残り容量／平均ビットレート９３３を計算した時間が、録画予定時間を越えていて前記録画予定時間に最も近いものに対応する録画モードと、前記録画予定時間以下で前記録画予定時間に最も近い録画予定時間に対応する録画モードとを選択することと同等である。
【００４４】
また、ＳＴ３１、ＳＴ３３、ＳＴ３５、ＳＴ３７のフローで記録モードを選択するために、前記ディスクに記録可能な容量を前記映像信号の録画予定時間で除算した、均等ビットレートを算出することにより判断しても良い。例えば、録画モード９３１のうち、この均等ビットレートを超えていてこの均等ビットレートに最も近い平均ビットレートに対応する録画モード、および前記均等ビットレート以下でこの均等ビットレートに最も近い平均ビットレートに対応する録画モードを時間軸上で組み合わせてもよい。この方法は実質的に図３のＳＴ３の判断基準と同等である。なお、ここでいう「均等ビットレート」は、各録画モードを組み合わせて録画時間全体で平均したビットレートであり、各録画モードの平均ビットレート９３３とは異なる。
【００４５】
また、平均ビットレート９３３は、本発明の「基準値」に相当する。
【００４６】
更に、本実施形態のＤＶＤレコーダ１では、アナログ形式の映像信号をエンコードしてＤＶＤ１０へ記録する構成を備えていれば良く、必ずしもハードディスク８ａ、ハードディスクドライブ８ｂを備える必要はない。
【図面の簡単な説明】
【００４７】
【図１】ＤＶＤレコーダの主要部の構成を示すブロック図
【図２】ビットレート切替制御部が参照するデータテーブルの例
【図３】録画予約指示（または録画指示）を受けた場合にビットレート切替制御部が行う処理フローの図
【符号の説明】
【００４８】
１−ＤＶＤレコーダ、  ２−入力部、  ３−符号化部
４−記録／読取部、  ５−読取信号処理部、  ６−出力部
７−記録部、  ７ａ−ハードディスク（ＨＤ）、  ７ｂ−ハードディスクドライブ（ＨＤＤ）
８−操作部、  ９−制御部、  ９１−ビットレート制御部
９２−ビットレート切替制御部、  ９３−データテーブル、  ９３１−録画モード
９３２−記録時間、  ９３３−平均ビットレート、  ９３４−最大ビットレート
１０−ＤＶＤ、  １１−表示装置、  １２−スピーカ
【図１】
2007310976.tif 000003
【図２】
2007310976.tif 000004
【図３】
2007310976.tif 000005